(57)【要約】      （修正有）【課題】製作に手間や大がかりな設備を必要とせず、強度に優れ、更に外観品質がよい収納箱を提供する。【解決手段】底部１１と底部の周縁に立設配置された側壁部１２〜１５とを備え、側壁部の先端側に開口１６を備えた箱体１０と、箱体に被せられ開口を閉塞する蓋体２０とを備えた収納箱であって、側壁部は、目方向を交差させて接合した複数枚の紙段ボールシートからなる壁芯材と、壁芯材の内側に接合され、プラスチック段ボールシートからなる内張材と、壁芯材の表面に、箱体の側壁部の外表面を覆うべく貼着された粘着テープからなる外張材と、を備えて構成され、蓋体は、目方向を交差させて接合した複数枚の紙段ボールシートからなる蓋心材と、蓋心材の表面に、蓋体の外表面を覆うべく貼着された粘着テープからなる蓋外張材と、蓋材の箱体側面に配置され、箱体の開口の周囲に接触しつつ開口内部にはまり込む挿入凸部２６と、を備えて構成される。【選択図】図２
0003219603.tif 000002
【実用新案登録請求の範囲】
【請求項１】
底部と該底部の周縁に立設配置された側壁部とを備え、前記側壁部の先端側に開口を備えた箱体と、前記箱体に被せられ前記開口を閉塞する蓋体とを備えた収納箱であって、
前記箱体は、
目方向を交差させて接合した複数枚の紙段ボールシートからなる壁芯材と、
前記壁芯材の内側に接合され、プラスチック段ボールシートからなる内張材と、
前記壁芯材の表面に、前記箱体の外表面を覆うべく貼着された粘着テープからなる外張材と、を備えて構成され、
前記蓋体は、
目方向を交差させて接合した複数枚の紙段ボールシートからなる蓋心材と、
前記蓋心材の表面に、前記蓋体の外表面を覆うべく貼着された粘着テープからなる蓋外張材と、
前記蓋体の前記箱体側に配置され、前記箱体の前記開口の内部にはまり込む挿入凸部と、を備えて構成されることを特徴とする収納箱。
【請求項２】
前記内張材は水密加工が施されていることを特徴とする請求項１に記載の収納箱。
【請求項３】
前記側壁部に形成された手掛け用の凹部又は孔部、及び取っ手用の紐部材の少なくとも一方が配置されていることを特徴とする請求項１に記載の収納箱。
【請求項４】
前記粘着テープは、表面に着色加工がなされた布粘着テープ又は表面に着色加工がなされた合成樹脂粘着テープであることを特徴とする請求項１に記載の収納箱。
【請求項５】
外面に防水コーティングを施したことを特徴とする請求項１に記載の収納箱。
【考案の詳細な説明】
【技術分野】
【０００１】
本考案は、現場等で工具や器具等を収納するのに適した収納箱に関する。
【背景技術】
【０００２】
建築等の現場では、様々な工具や器具が使用されている。このような現場では、その日に使用する工具をまとめて収納箱等に格納しておき、必要に応じて工具や器具を取り出して使用することが効率的である。
また、工事現場等では作業に応じて様々なゴミが発生するが、作業の過程でゴミを収集しないまま作業を行いその日の作業終了後に回収する場合が多いが、ゴミを放置した場合には作業環境を悪化させ、かつ回収作業が煩雑となる。従って、このような観点から作業現場に適宜置いておき、工具、器具を収納したり、又はゴミを収集したり、多用途に使用できる収納箱が望まれている。
【０００３】
従来このような目的に使用する収納箱としては市販の木製道具箱や金属製道具箱が使用されている。また、収納箱として従来様々なものが提案されている。
【０００４】
特許文献１には、天面、底面、及び側面を有して展開、組立可能で物品を収納する収納ケースであって、前記天面、底面、及び側面にそれぞれ設けられた基材と、前記基材を被覆して前記天面、底面、及び側面を形成してケース本体を構成する通気性素材とからなり、前記天面、底面、及び側面にそれぞれ設けられた基材の少なくとも１つの面に通気領域を有する収納ケースが記載されている。
【０００５】
特許文献２には、四角状の底面部と、前記底面部の四辺より上方に立設された二対の側壁部と、を備え、前記二対の側壁部のうち少なくとも一対において、前記側壁部の立設方向に沿って箱折曲線部が形成され、前記箱折曲線部が設けられた一対の側壁部を、前記箱折曲線部で折畳むことにより偏平状となる箱体と、前記箱体の前記底面部の上に載置される底板部材と、前記箱体の前記二対の側壁部の上に載置される四角状の天板部と、前記天板部の四辺より下方に延設され、前記箱体の側壁部に沿って形成された二対の側縁部と、を備え、前記箱体の上部開口を塞ぐとともに座面部として機能する蓋体と、を備えた折畳み収納ボックスであって、前記蓋体は、前記側縁部に、隣接し合う前記側縁部と側縁部とを互いに着脱自在に係合し合う係合手段が設けられ、前記係合手段が外れた状態で、前記二対の側縁部を、前記天板部の四辺で前記天板部に向かって折畳むことで偏平状となり、前記係合手段が掛けられた状態で、前記蓋体の内部空間内に、折り畳まれた状態の前記箱体と、前記底板部材とが、収納されるよう構成されていることを特徴とする折畳み収納ボックスが記載されている。
【先行技術文献】
【特許文献】
【０００６】
【特許文献１】特開２００１−２９４２３１号公報
【特許文献２】実登３１７８２７５号公報
【考案の概要】
【考案が解決しようとする課題】
【０００７】
しかし、従来の木製や金属製の道具箱は、重さが嵩む他、製作に手間や大がかりな加工機械等が必要であり高価である。
【０００８】
また、特許文献１、２に記載のものは、紙や段ボールを組み立てて容易に製造できるが折り畳みを前提としており、強度や外観品質に問題がある。
【０００９】
本考案は、上記課題に鑑みてなされたものであり、製作に手間や大がかりな設備を必要とせず、強度に優れ、更に外観品質がよい収納箱を提供することを課題とする。
【課題を解決するための手段】
【００１０】
前記課題を解決する請求項１に記載の考案は、底部と該底部の周縁に立設配置された側壁部とを備え、前記側壁部の先端側に開口を備えた箱体と、前記箱体に被せられ前記開口を閉塞する蓋体とを備えた収納箱であって、前記箱体は、目方向を交差させて接合した複数枚の紙段ボールシートからなる壁芯材と、前記壁芯材の内側に接合され、プラスチック段ボールシートからなる内張材と、前記壁芯材の表面に、前記箱体の外表面を覆うべく貼着された粘着テープからなる外張材と、を備えて構成され、前記蓋体は、目方向を交差させて接合した複数枚の紙段ボールシートからなる蓋心材と、前記蓋心材の表面に、前記蓋体の外表面を覆うべく貼着された粘着テープからなる蓋外張材と、前記蓋体の前記箱体側に配置され、前記箱体の前記開口の内部にはまり込む挿入凸部と、を備えて構成されることを特徴とする収納箱である。
【００１１】
本考案によれば、箱体が目方向を交差させて接合した複数枚の紙段ボールシートからなる壁芯材、壁芯材の内側に接合したプラスチック段ボールシートからなる内張材、及び壁芯材の表面に、箱体の外表面を覆うべく貼着された粘着テープからなる外張材で構成されるから、軽量であり、大きな強度を備える。
また、蓋体は、目方向を交差させて接合した複数枚の紙段ボールシートからなる蓋心材、蓋心材の表面に、蓋体の外表面を覆うべく貼着された粘着テープからなる蓋外張材、及び蓋体の前記箱体側に配置され、箱体の前口の内部にはまり込む挿入凸部を備える。このため、蓋体は軽量で大きな強度を備え、外観品質がよい。
また、蓋体を箱体に被せたとき挿入凸部が箱体の開口にはまり込むため、蓋体は箱体に「がたつき」なくしっかりと配置される。そして、収納箱は特別な材料や加工機械を使用することなく、容易かつ安価に製造できる。更に、収納箱は軽量で大きな強度を備えるため、作業台や椅子等、様々な目的に使用できる。
【００１２】
同じく請求項２に記載の考案は、請求項１に記載の収納箱において、前記内張材は水密加工が施されていることを特徴とする。
【００１３】
本考案によれば、箱体の内張材は、水密加工が施されているため、内部に湿気や水分が進入しない。よって、収納物に湿気や水分が付着することがなく、収納物を安全かつ確実に保管できる。
【００１４】
同じく請求項３に記載の考案は、請求項１に記載の収納箱において、前記側壁部に形成された手掛け用の凹部又は孔部、及び取っ手用の紐部材の少なくとも一方が配置されていることを特徴とする。
【００１５】
本考案によれば、収納箱には手掛け用の凹部又は孔部、取っ手用の紐部材が形成されているため収納箱を容易に異動したり搬送したりできる。
【００１６】
同じく請求項４に記載の考案は、請求項１に記載の収納箱において、前記粘着テープは、表面に着色加工がなされた布粘着テープ又は表面に着色加工がなされた合成樹脂粘着テープであることを特徴とする。
【００１７】
本考案によれば、箱体と蓋体の外張り部材である粘着テープは、表面に着色加工がなされた布粘着テープ又は表面に着色加工がなされた合成樹脂粘着テープであるので、粘着テープの色や配置を選択することで、収納箱を所望の色彩や模様を有するものとできる。よって、収納箱の外観品質を良好にでき、更に収納箱の外面に警告色や注意を喚起する模様、例えば黒色と黄色の模様を配置することができる。
【００１８】
同じく請求項５に記載の考案は、請求項１に記載の収納箱において、外面に防水コーティングを施したことを特徴とする。
【００１９】
本考案によれば、収納箱の外面には防水コーティングが施されているため、箱体が濡れて強度が低下したり、外観が劣化したりすることを防止できる。
【考案の効果】
【００２０】
本考案に係る収納箱によれば、収納箱を、製作に手間や大がかりな設備を必要とせず、強度に優れ、更に外観品質がよいものとできる。
【００２１】
即ち、請求項１に係る収納箱によれば、箱体が目方向を交差させて接合した複数枚の紙段ボールシートからなる壁芯材、壁芯材の内側に接合したプラスチック段ボールシートからなる内張材、及び壁芯材の表面に、箱体の外表面を覆うべく貼着された粘着テープからなる外張材で構成されるから、軽量であり、大きな強度を備える。
また、蓋体は、目方向を交差させて接合した複数枚の紙段ボールシートからなる蓋心材、蓋心材の表面に、蓋体の外表面を覆うべく貼着された粘着テープからなる蓋外張材、及び蓋体の前記箱体側に配置され、箱体の前口の内部にはまり込む挿入凸部を備える。このため、蓋体は軽量で大きな強度を備え、外観品質がよい。また、蓋体を箱体に被せたとき挿入凸部が箱体の開口にはまり込むため、蓋体は箱体に「がたつき」なくしっかりと配置される。
そして、収納箱は特別な材料や加工機械を使用することなく、容易かつ安価に製造できる。更に、収納箱は軽量で大きな強度を備えるため、作業台や椅子等、様々な目的に使用できる。
【００２２】
また、請求項２に係る収納箱によれば、箱体の内張材は、水密加工が施されているため、内部に湿気や水分が進入しない。よって、収納物に湿気や水分が付着することがなく、収納物を安全かつ確実に保管できる。
【００２３】
また、請求項３に係る収納箱によれば、収納箱には手掛け用の凹部、孔部、取っ手用の紐部材が形成されているため収納箱を容易に異動したり搬送したりできる。
【００２４】
更に、請求項４に係る収納箱によれば、箱体と蓋体の外張り部材である粘着テープは、表面に着色加工がなされた布粘着テープ又は表面に着色加工がなされた合成樹脂粘着テープであるので、粘着テープの色や配置を選択することで、収納箱を所望の色彩や模様を有するものとできる。よって、収納箱の外観品質を良好にでき、更に収納箱の外面に警告色や注意を喚起する模様、例えば黒色と黄色の模様を配置することができる。
【００２５】
そして、請求項５に係る収納箱によれば、収納箱の外面には防水コーティングが施されているため、箱体が濡れて強度が低下したり、外観が劣化したりすることを防止できる。
【図面の簡単な説明】
【００２６】
【図１】本考案の実施形態に係る収納箱を閉状態としたときの全体斜視図である。
【図２】同収納箱の箱体から蓋体を外した状態を示す斜視図である。
【図３】同収納箱の箱体を示すものであり、（ａ）は平面図、（ｂ）は正面図、（ｃ）は右側面図、（ｄ）は底面図である。
【図４】同収納箱の蓋体を示すものであり、（ａ）は平面図、（ｂ）は（ａ）中のＢ−Ｂ線に相当する断面図、（ｃ）は（ａ）中のＣ−Ｃ線に相当する断面図、（ｄ）は底面図である。
【図５】同収納箱の箱体の層構造を示す分解斜視図である。
【図６】同収納箱の外観例を示すものであり、（ａ）、（ｂ）は異なる外観を呈する収納箱の写真である。
【考案を実施するための形態】
【００２７】
本考案を実施するための形態に係る収納箱について説明する。
【００２８】
まず本実施形態に係る収納箱の概略構成について説明する。図１は本考案の実施形態に係る収納箱を閉状態としたときの全体斜視図、図２は同収納箱の箱体から蓋体を外した状態を示す斜視図、図３は同収納箱の箱体を示すものであり、（ａ）は平面図、（ｂ）は正面図、（ｃ）は右側面図、（ｄ）は底面図、図４は同収納箱の蓋体を示すものであり、（ａ）は平面図、（ｂ）は（ａ）中のＢ−Ｂ線に相当する断面図、（ｃ）は（ａ）中のＣ−Ｃ線に相当する断面図である。
【００２９】
図１及び図２に示すように、本実施形態に係る収納箱３０は、箱体１０と蓋体２０とから構成される。蓋体２０は箱体１０に被せて使用される。
【００３０】
箱体１０は、全体が直方体状の箱状である。また、図３に示すように、箱体１０は、長方形状の底部１１とこの底部の４つの周縁に立設配置された長方形状の４枚の側壁部１２、１３、１４、１５とを備える。これらの側壁部１２、１３、１４、１５の先端側即ち底部１１が形成されない側には長方形状の開口１６を備える。
【００３１】
箱体１０の寸法は、現場の状態や内部に収納する物品等の大きさにより適宜設定できる。例えば図３（ａ）、（ｂ）に示すように、底部１１の厚さ（Ｔ１）を３．５ｃｍ、幅寸法（Ｗ）を４０ｃｍ、奥行寸法（Ｄ）を２７．５ｃｍとし、側壁部１２、１３、１４、１５の厚さ（Ｔ２）を２.０ｃｍ、高さ寸法（Ｈ）を３０.５ｃｍとすることができる。箱体１０の各寸法は、収納する物品、使用する場所、目的により適宜大きくしたり小さくしたりできる。
【００３２】
蓋体２０は、箱体１０に被せられ開口１６を閉塞する。また蓋体２０は、図４に示すように長方形状の上板部２１と、この上板部２１の４つの周縁に垂下するように配置される４枚の垂下部２２、２３、２４、２５と、挿入凸部２６とを備える。垂下部２２、２３、２４、２５は長方形状であり、挿入凸部２６は直方体形状である。
【００３３】
蓋体２０は、例えば、図４（ａ）、（ｂ）、（ｃ）に示すように上板部２１の厚さ（ｔ１）を１．１ｃｍ、幅寸法（ｗ１）を４３ｃｍ、奥行寸法（ｄ１）を２８．５ｃｍとし、垂下部２２、２３、２４、２５の厚さ寸法（ｔ２）を０．７５ｃｍ、高さ寸法（ｈ１）を３．５ｃｍとすることができる。
また、挿入凸部２６の高さ寸法（ｈ２）を４ｃｍ、幅寸法（ｗ２）を３４．５ｃｍ、奥行寸法（ｄ２）を２１ｃｍとすることができる。蓋体２０の各寸法は箱体１０の寸法にあわせて変更できる。
【００３４】
次に、箱体１０の詳細な構造及び製造について説明する。箱体１０の底部１１及び側壁部１２、１３、１４、１５は、壁芯材４０と、内張材４３と、外張材４４とを多層状態に貼り合わせて構成されている。図５は同収納箱の箱体の層構造を示す分解斜視図である。
【００３５】
壁芯材４０は、複数枚、例えば２枚の紙製の段ボールシート４１、４２を貼り合わせて構成する。壁芯材４０において、外側の段ボールシート４１及び内側の４２はそれぞれ例えば厚さ８ｍｍのＷフルート（ＡＢフルート）を使用することができる。
段ボールシート４２、４２は、互いに中芯が流れる目方向が交差、例えば直交するように貼り合わせる。図５中に中芯の目方向を矢印で示した。この壁芯材４０を構成する段ボールシートは、８ｍｍのもの２枚に限らず、他の厚さやフルートのものを３枚以上貼り合わせて構成することができる。
【００３６】
壁芯材４０を形成するには、段ボールシート４１及び４２を底部１１及び側壁部１２、１３，１４、１５を展開した形状に切り出し、これらを接着剤で貼り合わせて箱状とする。なお、底部１１、側壁部１２、１３、１４、１５は別部材として作成し、これらを組み合わせて接合する等して箱状に組み立てることができる。
【００３７】
また、内張材４３は、例えば厚さ５ｍｍのプラスチック段ボールで構成される。プラスチック段ボールは「プラダン」又は「ダンプラ」とも称されるプラスチックを素材とした段ボール風の中空シートである。プラスチック段ボールシートは、２枚の板部材（ライナー）の間にこれらの板部材を接続する複数のリブを所定の間隔で平行に配置した構造である。
【００３８】
内張材４３は、ポリプロピレン樹脂（ＰＰ）やポリカーボネート樹脂を材料としており、軽量化、高剛性、耐水・対薬品性に優れ、長期間の使用に耐える。そして、内張材４３は、段ボールシート４１及び段ボールシート４２で構成した箱状の壁芯材４０の内部に配置する。
このとき、リブの配置方向を壁芯材４０の内側の段ボールシート４２の芯材のリブの配置方向と交差させて配置し（図５中に矢印で示した）、段ボールシート４２の内側に接着して接合する。これにより、箱体１０の強度を大きなものとできる。
【００３９】
また、内張材４３は、１枚の底板と、４枚の側板板で形成しておき、箱状の壁芯材４０の内部に接着材で貼付して配置する。内張材４３の各板の接合箇所には防水用のシール、例えばシリコーン製のコーキング材を充填している。これにより、箱体１０の内部を水密状態とすることができる。
【００４０】
外張材４４は、粘着テープ４５を箱体の表面に貼り付けることにより形成される。粘着テープ４５としては、表面に着色加工がなされた布粘着テープ又は表面に着色加工がなされた合成樹脂粘着テープを使用することができる。
【００４１】
例えば幅寸法が５ｃｍの粘着テープ４５を使用することができ、この場合は、粘着テープを所定の寸法だけ重ね合わせて貼付し（重ね合わせた部分を図５中符号４５ａで示した）、箱体１０の底部１１の底面、側壁部１２、１３、１４、１５の外面及び上端面の全面を覆うようにする。
【００４２】
外張材４４としては、いわゆるガムテープと称される布粘着テープやＯＰＰテープと称される延伸ポリプロピレンテープ等が使用できる。粘着テープの表面は所望の着色や模様が施されたものを使用することができる。色や模様を選択して貼付することにより、箱体１０の外面を所望の色（例えば、黄色、黒色、赤色等）や模様（例えば黄色と黒色の縞模様）を呈するものとできる。即ち、黄色と黒色の２種類の粘着テープを使用することで、箱体１０に警戒模様を表示させたり、他の目立つ色や模様を表示したりできるし、粘着テープ自体の模様を表示したり、文字や模様を表示したステッカーを表示できる。
【００４３】
蓋体２０は、所望の厚さになるように、紙段ボールシートを貼り合わせて、上板部２１及び垂下部２２、２３、２４、２５を形成する。そして、上板部２１の下面（箱体１０側）に挿入凸部２６を配置する。挿入凸部２６は発泡スチロール樹脂で形成する。
【００４４】
そして、挿入凸部２６を配置した状態の蓋体２０の内面及び外面に外張材４４として使用した粘着テープを貼付する。このとき、箱体１０に使用した粘着テープを箱体１０の外装と同色や同じ模様とすることができる。また、蓋体２０だけ異なる色、模様とすることができる。また、蓋体２０の内面と外面とで異なる色、模様を配することができる。
【００４５】
更に、本実施形態では、収納箱３０の外面に防水コーティングを施している。この防水コーティングはニス等の天然や合成の防水塗料や、樹脂シートによるコーティングにより行うことができる。
【００４６】
本実施形態に係る収納箱３０は、特別な材料や加工機械を使用することなく、容易かつ安価に製造できる。更に、収納箱は軽量で大きな強度を備えるため、作業台や椅子等、様々な目的に使用できる。
【００４７】
なお、箱体１０の相対する側壁部１４、１５面の上側部にそれぞれ指掛け用のスリット１７、１７が開設されている。また側壁部１４、１５にはロープ挿通用の孔部１８、１８が開設されている。これによりスリット１７、１７に手指を掛けることができ、収納箱３０の移動を容易に行うことができる。
また、収納箱３０には、ロープにより持ち手紐部５０を形成している。持ち手紐部５０は、スリット１７、１７に挿通して配置される2つの輪状部５１、５２とこれらの輪状部を連結する連結部５３とから構成される。なお、この持ち手紐部は上述した構成に限らず、他の構成であってもよい。
【００４８】
孔部１８、１８は、連結部５３を箱体１０の内部に配置して蓋体２０を被せたとき、５１、５２が配置され、箱体１０と蓋体２０との間に持ち手紐部５０が挟まり、箱体１０と収納箱３０の間に隙間が発生するのを防止している。
【００４９】
図６は同収納箱の外観例を示すものであり、（ａ）、（ｂ）は異なる外観を呈する収納箱の写真である。
【００５０】
図６（ａ）に示す収納箱３０Ａは、箱体１０Ａ及び蓋体２０Ａの外面に黄色と黒色の縞模様が付された粘着テープを貼付して、収納箱３０Ａ全体で黄色と黒色の縞模様を表示している。更に蓋体２０Ａの上面に「関係者以外立入禁止」と表示したステッカーを貼付している。これにより、収納箱３０Ａを目立つものとしている。また、収納箱３０Ａには、持ち手紐部５０Ａとして輪状部５１Ａ、連結部５３Ａが配置されている。
【００５１】
収納箱３０Ａは、現場において、使用する工具や器具を収納できる他、作業台として使用したり、塵芥を収集する等多用途に使用できる。
【００５２】
図６（ｂ）に示す収納箱３０Ｂは、箱体１０Ｂ及び蓋体２０Ｂの外面に黄色の粘着テープと、黒色の粘着テープを貼付して、大きい「Ｘ」印と、黄色と黒色の縞模様を表示している。これにより、収納箱３０Ｂを目立つものとしている。
【００５３】
以上のように構成した収納箱３０は、軽量で丈夫かつ防水性に富むため、現場におけるツール箱、作業台として使用でき、更に塵芥を集積するために使用することができる。
【産業上の利用可能性】
【００５４】
以上のように本考案に係る収納箱は、軽量で丈夫かつ防水性に富むため、現場におけるツール箱、作業台として使用でき、更に塵芥を集積するために使用することができ、産業上の利用可能性がある。
【符号の説明】
【００５５】
１０、１０Ａ、１０Ｂ：箱体
１１：底部
１２〜１５：側壁部
１６：開口
１７：スリット
１８：孔部
２０：蓋体
２０Ａ：蓋体
２０Ｂ：蓋体
２１：上板部
２２〜２５：垂下部
２６：挿入凸部
３０、３０Ａ、３０Ｂ：収納箱
４０：壁芯材
４１、４２：段ボールシート
４３：内張材
４４：外張材
４５：粘着テープ
５０、５０Ａ：持ち手紐部
５１、５１Ａ：輪状部
５２：輪状部
５３、５３Ａ：連結部
【図１】
0003219603.tif 000003
【図２】
0003219603.tif 000004
【図３】
0003219603.tif 000005
【図４】
0003219603.tif 000006
【図５】
0003219603.tif 000007
【図６】
0003219603.tif 000008